(57)【特許請求の範囲】
【請求項１】
複数の空調機と、前記複数の空調機の全てを暖房運転または冷房運転の何れか一方に切り替えて運転させる制御装置と、を備えた空気調和システムであって、
前記空調機は、
第１設定温度が設定され、当該空調機が設置された室内温度が前記第１設定温度となるように当該空調機を制御する第１運転モードと、
第２設定温度と、前記第２設定温度より低い第３設定温度とが設定され、
冷房運転時には、当該空調機が設置された室内温度が前記第２設定温度を下回るように当該空調機を制御し、
暖房運転時には、当該空調機が設置された室内温度が前記第３設定温度を上回るように当該空調機を制御する第２運転モードと、を実行可能であり、
前記制御装置は、
前記第１運転モードを実行している前記空調機の室内温度と前記第１設定温度との温度差と、
前記第２運転モードを実行している前記空調機の室内温度と前記第２設定温度または前記第３設定温度との温度差とに基づいて、
前記複数の空調機の全てを暖房運転または冷房運転の何れか一方に切り替えて運転させる
ことを特徴とする空気調和システム。
【請求項２】
前記制御装置は、
前記第１運転モードを実行している前記空調機の室内温度が、前記第１設定温度より高いとき、当該空調機は冷房を必要としていると判断し、
前記第１運転モードを実行している前記空調機の室内温度が、前記第１設定温度より低いとき、当該空調機は暖房を必要としていると判断し、
前記第２運転モードを実行している前記空調機の室内温度が、前記第２設定温度より高いとき、当該空調機は冷房を必要としていると判断し、
前記第２運転モードを実行している前記空調機の室内温度が、前記第３設定温度より低いとき、当該空調機は暖房を必要としていると判断し、
前記複数の空調機のうち、冷房を必要としている空調機より、暖房を必要としている空調機が多いとき、前記複数の空調機の全てを暖房運転に切り替えて運転させ、
前記複数の空調機のうち、暖房を必要としている空調機より、冷房を必要としている空調機が多いとき、前記複数の空調機の全てを冷房運転に切り替えて運転させる
ことを特徴とする請求項１記載の空気調和システム。
【請求項３】
前記制御装置は、
前記第１運転モードを実行している前記空調機の室内温度が、前記第１設定温度より高いとき、前記室内温度と前記第１設定温度との温度差の大きさに応じた点数を、冷房に対応する点数として付し、
前記第１運転モードを実行している前記空調機の室内温度が、前記第１設定温度より低いとき、前記室内温度と前記第１設定温度との温度差の大きさに応じた点数を、暖房に対応する点数として付し、
前記第２運転モードを実行している前記空調機の室内温度が、前記第２設定温度より高いとき、前記室内温度と前記第２設定温度との温度差の大きさに応じた点数を、冷房に対応する点数として付し、
前記第２運転モードを実行している前記空調機の室内温度が、前記第３設定温度より低いとき、前記室内温度と前記第３設定温度との温度差の大きさに応じた点数を、暖房に対応する点数として付し、
前記冷房に対応する点数の合計値より、前記暖房に対応する点数の合計値が大きいとき、前記複数の空調機の全てを暖房運転に切り替えて運転させ、
前記冷房に対応する点数の合計値より、前記暖房に対応する点数の合計値が小さいとき、前記複数の空調機の全てを冷房運転に切り替えて運転させる
ことを特徴とする請求項１または２記載の空気調和システム。
【請求項４】
前記第１設定温度と室内温度との温度差の情報と、該温度差に応じた、前記冷房に対応する点数および前記暖房に対応する点数の情報とが設定された第１データテーブルと、
前記第２設定温度と室内温度との温度差および前記第３設定温度と室内温度との温度差の情報と、該温度差に応じた、前記冷房に対応する点数および前記暖房に対応する点数の情報とが設定された第２データテーブルと、が記憶される記憶装置を備え、
前記制御装置は、
前記第１データテーブルに基づき、前記第１運転モードを実行している前記空調機に前記点数を付し、
前記第２データテーブルに基づき、前記第２運転モードを実行している前記空調機に前記点数を付する
ことを特徴とする請求項３記載の空気調和システム。
【請求項５】
入力装置を備え、
前記冷房に対応する点数および前記暖房に対応する点数の情報は、前記入力装置からの操作により設定される
ことを特徴とする請求項４記載の空気調和システム。
【請求項６】
前記制御装置は、
前記冷房に対応する点数および前記暖房に対応する点数に、当該空調機の空調能力に応じた重みにより重み付けを行う
ことを特徴とする請求項３〜５の何れか１項に記載の空気調和システム。
【請求項７】
前記制御装置は、
前記第２運転モードを実行している前記空調機の室内温度が、前記第２設定温度より高く、前記室内温度と前記第２設定温度との温度差が、所定値以上の場合、
前記複数の空調機の全てを冷房運転に切り替えて運転させ、
前記第２運転モードを実行している前記空調機の室内温度が、前記第３設定温度より低く、前記室内温度と前記第３設定温度との温度差が、所定値以上の場合、
前記複数の空調機の全てを暖房運転に切り替えて運転させる
ことを特徴とする請求項１〜６の何れか１項に記載の空気調和システム。
【請求項８】
前記制御装置は、
前記第２運転モードを実行している前記空調機の室内温度が、前記第２設定温度より高く、前記室内温度と前記第２設定温度との温度差が、所定値以上の場合、
前記第１運転モードを実行している前記空調機に付される、暖房に対応する点数の最大値に、前記複数の空調機の数を乗じた値以上の点数を、当該第２運転モードを実行している前記空調機の冷房に対応する点数として付し、
前記第２運転モードを実行している前記空調機の室内温度が、前記第３設定温度より低く、前記室内温度と前記第３設定温度との温度差が、所定値以上の場合、
前記第１運転モードを実行している前記空調機に付される、冷房に対応する点数の最大値に、前記複数の空調機の数を乗じた値以上の点数を、当該第２運転モードを実行している前記空調機の暖房に対応する点数として付する
ことを特徴とする請求項３〜７の何れか１項に記載の空気調和システム。
【請求項９】
前記複数の空調機は、
１または複数の前記空調機を単位とするグループ毎に、前記第１運転モードまたは前記第２運転モードが実行され、
前記制御装置は、
前記グループ毎に、前記冷房に対応する点数および前記暖房に対応する点数を付する
ことを特徴とする請求項１〜８の何れか１項に記載の空気調和システム。
【発明の詳細な説明】
【技術分野】
【０００１】
本発明は、複数の空調機の全てを暖房運転または冷房運転の何れか一方に切り替えて運転させる空気調和システムに関する。
【背景技術】
【０００２】
従来の技術においては、例えば、「所定の室外機と複数台の室内機とを１系統の冷媒配管で接続した空調システムにおいて、上記各室内機の周辺温度をそれぞれ検知して管理する温度管理手段と、上記各室内機の周辺温度および各室内機の設定温度の差に対応した各室内機の運転状態を総合して空調システムの運転モードを判定する管理手段と、上記判定にもとづいて上記各室内機を一括して冷房または暖房運転に切り換える運転モード切換手段とを備えたことを特徴とする冷暖房自動切換システム。」が提案されている（例えば、特許文献１参照）。
【先行技術文献】
【特許文献】
【０００３】
【特許文献１】特開２００５−１８０７７０号公報（請求項１）
【発明の概要】
【発明が解決しようとする課題】
【０００４】
上記特許文献１に記載の空気調和システムにおいては、複数の空調機の全てを暖房運転または冷房運転の何れか一方に切り替えて運転させている。
このような空気調和システムでは、複数の空調機のそれぞれの設定温度と室内温度とを比較し、冷房運転を必要とする空調機より暖房運転を必要とする空調機が多い場合には、複数の空調機の全てを暖房運転に切り替え、暖房運転を必要とする空調機より冷房運転を必要とする空調機が多い場合には、複数の空調機の全てを冷房運転に切り替える。
そして、各空調機は、室内温度が設定温度に近づくように運転状態を制御する。
この制御は、複数の空調機が個別に冷房／暖房を切り替える機能を有していない場合であっても、システム全体として、室内温度を設定温度に近づけるように制御することができ、室内の快適性を向上させることができる。
例えば一日の寒暖差が大きい地域に設置された場合、温度が高い日中では、システム全体を冷房運転に切り替えることで、室内温度が設定温度に近づくように制御することができる。また、温度が低い夜間には、システム全体を暖房運転に切り替えることで設定温度に近づくように制御することができる。【０００５】
しかし、省エネルギー性の向上を目的として、例えば冷房運転時に一部の空調機の設定温度を上げたあと、システム全体が暖房運転に切り替わると、当該設定温度に近づくように過剰な暖房運転が行われることとなる。
また、例えば暖房運転時に一部の空調機の設定温度を下げたあと、システム全体が冷房運転に切り替わると、当該設定温度に近づくように過剰な冷房運転が行われることとなる。
このため省エネルギー性の向上を図ることができない、という問題点があった。【０００６】
一方、従来の空気調和システムにおいて、複数の空調機を、それぞれ個別に暖房運転または冷房運転に切り替え可能なものがある。
このような空気調和システムでは、上限の設定温度と下限の設定温度とを設定し、室内温度が上限の設定温度を上回る場合には、当該空調機を単独で冷房運転に切り替えて室内温度が上限の設定温度を上回らないように制御し、また、室内温度が下限の設定温度を下回る場合には、当該空調機を単独で暖房運転に切り替えて、室内温度が下限の設定温度を下回らないように制御するものがある（以下「セットバック制御」と称する）。
このセットバック制御は、複数の空調機が個別に冷房／暖房を切り替える機能を有している場合に、室内温度を上限および下限の２つの設定温度の間に保つように制御することができる。また上限の設定温度と下限の設定温度との温度差を大きく設定することで、空調機のサーモＯＦＦ期間を多くすることができ、省エネルギー性を向上させることができる。
例えば一日の寒暖差が大きい地域に設置された場合、上限の設定温度を上げて省エネルギーを図りつつ、温度が低い夜間には下限の設定温度を下回らないように制御することができる。【０００７】
しかしながら、複数の空調機の全てを暖房運転または冷房運転の何れか一方に切り替えて運転させる空気調和システムでは、各空調機が個別に冷房／暖房を切り替えられないので、上記のようなセットバック制御を適用することができない、という問題点があった。【０００８】
この発明は、上記のような課題を解決するためになされたもので、複数の空調機の全てを暖房運転または冷房運転の何れか一方に切り替えて運転させる空気調和システムにおいて、複数の空調機の少なくとも一部が、室内温度を２つの設定温度間に保つように制御することができる空気調和システムを得るものである。
また、複数の空調機の少なくとも一部が、室内温度を２つの設定温度間に保つように制御する場合であっても、各空調機の室内温度と設定温度との温度差に応じて、システム全体を冷房運転または暖房運転に切り替えることができる空気調和システムを得るものである。
また、複数の空調機の一部が、室内温度を１つの設定温度に近づくように制御し、複数の空調機の他の一部が、室内温度を２つの設定温度間に保つように制御することができ、快適性と省エネルギー性とを両立することができる空気調和システムを得るものである。
【課題を解決するための手段】
【０００９】
この発明に係る空気調和システムは、
複数の空調機と、前記複数の空調機の全てを暖房運転または冷房運転の何れか一方に切り替えて運転させる制御装置と、を備えた空気調和システムであって、
前記空調機は、
第１設定温度が設定され、当該空調機が設置された室内温度が前記第１設定温度となるように当該空調機を制御する第１運転モードと、
第２設定温度と、前記第２設定温度より低い第３設定温度とが設定され、
冷房運転時には、当該空調機が設置された室内温度が前記第２設定温度を下回るように当該空調機を制御し、
暖房運転時には、当該空調機が設置された室内温度が前記第３設定温度を上回るように当該空調機を制御する第２運転モードと、を実行可能であり、
前記制御装置は、
前記第１運転モードを実行している前記空調機の室内温度と前記第１設定温度との温度差と、
前記第２運転モードを実行している前記空調機の室内温度と前記第２設定温度または前記第３設定温度との温度差とに基づいて、
前記複数の空調機の全てを暖房運転または冷房運転の何れか一方に切り替えて運転させるものである。
【発明の効果】
【００１０】
この発明は、第１運転モードを実行している空調機の室内温度と第１設定温度との温度差と、第２運転モードを実行している空調機の室内温度と第２設定温度または第３設定温度との温度差とに基づいて、複数の空調機の全てを暖房運転または冷房運転の何れか一方に切り替えて運転させる。
このため、複数の空調機の全てを暖房運転または冷房運転の何れか一方に切り替えて運転させる空気調和システムにおいて、複数の空調機の少なくとも一部の室内温度を、第２設定温度と第３設定温度との間に保つように制御することができる。
【図面の簡単な説明】
【００１１】
【図１】実施の形態１に係る空気調和システムの構成を示すブロック図である。
【図２】実施の形態１に係る集中コントローラー１０の構成を示す図である。
【図３】実施の形態１に係る点数テーブルのデータ構成を示す図である。
【図４】実施の形態１に係る冷房／暖房切り替え動作を示すフローチャートである。
【図５】実施の形態１に係る空調機の運転状態の一例を示す図である。
【図６】実施の形態１に係る空調機の運転状態の一例を示す図である。
【図７】実施の形態１に係る第１運転モードおよび第２運転モード実行時の温度変化の一例を示す図である。
【発明を実施するための形態】
【００１２】
実施の形態１．
図１は実施の形態１に係る空気調和システムの構成を示すブロック図である。
図１において、本実施の形態１における空気調和システムは、集中コントローラー１０、室外機２０、および室内機３０を備える。
【００１３】
室内機３０は、空調対象空間（以下「室内」ともいう。）にそれぞれ複数設置される。
室外機２０は、空調対象空間外（以下「室外」ともいう。）に１または複数設置される。
また、室内機３０は、１または複数の室内機３０を単位としてグループを形成する。例えば、同一の室内に配置された室内機３０を同一グループとする。図１の例では、４つのグループＧ１〜Ｇ４を形成している。
そして、各室内機３０はグループ毎に、第１運転モードまたは第２運転モードが実行される。動作の詳細は後述する。
【００１４】
なお、室外機２０および室内機３０は、本発明における「空調機」に相当する。
以下、室外機２０および室内機３０を総称して「空調機」ともいう。
【００１５】
集中コントローラー１０は、室外機２０および室内機３０と通信線を介して接続されている。
集中コントローラー１０は、室外機２０および室内機３０の運転を集中制御する。
【００１６】
室外機２０と各室内機３０とは冷媒配管により接続されており、配管中を流れる冷媒の圧力を変化させて冷媒の吸熱、放熱により空気調和を行う。
【００１７】
室外機２０は、図示しない圧縮機、室外機側熱交換器、室外機側ファン、室外機側膨張弁、四方切換弁などを備える。
室外機２０は、集中コントローラー１０等からの信号等に基づいて、室外機２０を構成する各手段の動作を制御する。
圧縮機は、吸入した冷媒を圧縮し、任意の圧力を加えて吐出する。
室外機側熱交換器は、熱交換器を通過する冷媒と空気との熱交換を行う。
室外機側ファンは、熱交換器に熱交換のための空気を送る。
四方切換弁は、例えば冷房運転、暖房運転に応じて、配管経路の切り替えを行う。
膨張弁は、弁の開度を調整し、冷媒の流量を制御する。
【００１８】
室内機３０は、図示しない室内機側熱交換器、室内機側ファン、室内機側膨張弁、室内温度センサなどを備える。
室内機３０は、集中コントローラー１０等からの信号等に基づいて、室内機３０を構成する各手段の動作を制御する。
室内機側熱交換器は、熱交換器内を通過する冷媒と空気との熱交換を行う。
室内機側ファンは、熱交換器に空気を送り熱交換させ、さらに熱交換された空気を室内に送り込む。
室内機側膨張弁は、弁の開度を調整し、冷媒の流量を制御する。これにより、室内機側熱交換器を通過する冷媒量を制御し、室内機側熱交換器における冷媒の蒸発等を調整する。
室内温度センサは、当該室内機３０が設置された室内温度を検出し、室内温度の情報を集中コントローラー１０に送信する。
【００１９】
本実施の形態１における空気調和システムは、集中コントローラー１０からの制御により、複数の空調機の全てを暖房運転または冷房運転の何れか一方に切り替えて運転させるものである。
【００２０】
なお、本実施の形態では、例えば、室内機３０の室内側熱交換器に冷媒を循環させて熱交換を行う状態がサーモＯＮであり、冷媒の循環を停止させて熱交換を行わない状態がサーモＯＦＦである。
次に、集中コントローラー１０の構成について説明する。
【００２１】
図２は実施の形態１に係る集中コントローラー１０の構成を示す図である。
図２に示すように、集中コントローラー１０は、制御装置１１０、入力装置１２０、表示装置１３０、記憶装置１４０、および通信装置１５０を備えている。
【００２２】
制御装置１１０は、通信装置１５０が受信した各空調機からの室内温度や運転モードの情報等に基づいて、各空調機を制御する。また、制御装置１１０は、複数の空調機の全てを暖房運転または冷房運転の何れか一方に切り替えて運転させる。詳細は後述する。
【００２３】
入力装置１２０は、各空調機に対する運転モード、設定温度等の操作を、使用者が入力するためのインターフェースである。また、入力装置１２０は、後述する記憶装置１４０に記憶される点数テーブルの情報を入力するためのインターフェースである。
【００２４】
表示装置１３０は、制御装置１１０からの指示により、各種メニュー画面、操作入力画面などを表示する。
【００２５】
記憶装置１４０は、第１点数テーブル２００、および第２点数テーブル３００が、予め記憶されている。詳細は後述する。
【００２６】
なお、第１点数テーブル２００は、本発明における「第１データテーブル」に相当する。
なお、第２点数テーブル３００は、本発明における「第２データテーブル」に相当する。
【００２７】
なお、制御装置１１０は、この機能を実現する回路デバイスなどのハードウェアで実現することもできるし、マイコンやＣＰＵなどの演算装置上で実行されるソフトウェアとして実現することもできる。
入力装置１２０は、タッチパネル、キーボードやマウスなどにより構成することができる。
表示装置１３０は、ＬＣＤ（Ｌｉｑｕｉｄ  Ｃｒｙｓｔａｌ  Ｄｉｓｐｌａｙ）等の任意の装置により構成することができる。
記憶装置１４０は、ＨＤＤ（Ｈａｒｄ  Ｄｉｓｋ  Ｄｒｉｖｅ）やフラッシュメモリ等の任意の記憶媒体により構成することができる。
通信装置１５０は、ＬＡＮインターフェースなどの任意のネットワークインターフェースにより構成することができる。
【００２８】
なお、本実施の形態１では、集中コントローラー１０に制御装置１１０および記憶装置１４０を設ける場合を説明するが、本発明はこれに限らず、室外機２０もしくは室内機３０に設けるようにしても良い。また、各室内機３０に対応してリモートコントローラーを設け、これに制御装置１１０および記憶装置１４０を内蔵するようにしても良い。
【００２９】
以上、本実施の形態１における集中コントローラー１０の構成について説明した。
次に、記憶装置１４０に記憶される、第１点数テーブル２００、および第２点数テーブル３００について説明する。
【００３０】
図３は実施の形態１に係る点数テーブルのデータ構成を示す図である。
図３（ａ）は、第１点数テーブル２００のデータ構成を示す。
図３（ｂ）は、第２点数テーブル３００のデータ構成を示す。
【００３１】
図３（ａ）に示すように、第１点数テーブル２００は、目標設定温度と室内温度との温度差の情報と、この温度差に応じた点数の情報とが設定されている。
目標設定温度とは、後述する第１運転モードにおける室内温度の目標値として設定された温度である。
【００３２】
なお、目標設定温度は、本発明における「第１設定温度」に相当する。
【００３３】
図３（ａ）に示すように、本実施の形態１では、点数の一例として、目標設定温度と室内温度との温度差がプラス１．５℃〜プラス３．０℃までは、プラス１点とする。
また、目標設定温度と室内温度との温度差がプラス３．０℃以上の場合は、プラス２点とする。
また、目標設定温度と室内温度との温度差がマイナス１．５℃〜マイナス３．０℃までは、マイナス１点とする。
また、目標設定温度と室内温度との温度差がマイナス３．０℃以下の場合は、マイナス２点とする。
【００３４】
なお、プラスの点数は、本発明における「冷房に対応する点数」に相当する。
また、マイナスの点数は、本発明における「暖房に対応する点数」に相当する。
【００３５】
さらに、第１点数テーブル２００には、温度差の情報に対応して、空調機の運転状態の情報が設定されている。
例えば、目標設定温度と室内温度との温度差が、マイナス１．５℃〜プラス１．５℃までは、サーモＯＦＦに設定する。
また、目標設定温度と室内温度との温度差がマイナス１．５℃以下、および、プラス１．５℃以上では、サーモＯＮに設定する。
【００３６】
図３（ｂ）に示すように、第２点数テーブル３００は、上限設定温度と室内温度との温度差、および下限設定温度と室内温度との温度差の情報と、この温度差に応じた点数の情報とが設定されている。
上限設定温度とは、後述する第２運転モードにおいて、冷房運転時での室内温度の上限値として設定された温度である。
下限設定温度とは、後述する第２運転モードにおいて、暖房運転時での室内温度の下限値として設定された温度である。
【００３７】
なお、上限設定温度は、本発明における「第２設定温度」に相当する。
なお、下限設定温度は、本発明における「第３設定温度」に相当する。
【００３８】
図３（ｂ）に示すように、本実施の形態１では、点数の一例として、上限設定温度と室内温度との温度差がプラス１．５℃〜プラス３．０℃までは、プラス１点とする。
また、上限設定温度と室内温度との温度差がプラス３．０℃以上の場合は、プラス２点とする。
また、室内温度が所定温度（例えば３２．５℃）以上の場合は、プラス４点とする。
また、下限設定温度と室内温度との温度差がマイナス１．５℃〜マイナス３．０℃までは、マイナス１点とする。
また、下限設定温度と室内温度との温度差がマイナス３．０℃以下の場合は、マイナス２点とする。
また、室内温度が所定温度（例えば１３．０℃）以下の場合は、マイナス４点とする。
【００３９】
なお、図３（ｂ）の例では、室内温度が所定温度（例えば３２．５℃）以上の場合は、プラス４点とし、室内温度が所定温度（例えば１３．０℃）以下の場合は、マイナス４点としたが、これに限らず、室内温度との温度差の大きさに応じて、点数を設定しても良い。
【００４０】
なお、プラスの点数は、本発明における「冷房に対応する点数」に相当する。
また、マイナスの点数は、本発明における「暖房に対応する点数」に相当する。
【００４１】
さらに、第２点数テーブル３００には、温度差の情報に対応して、空調機の運転状態の情報が設定されている。
例えば、下限設定温度と室内温度との温度差がマイナス１．５℃以上〜上限設定温度と室内温度との温度差がプラス１．５℃以下では、サーモＯＦＦに設定する。
また、下限設定温度と室内温度との温度差がマイナス１．５℃以下、および、上限設定温度と室内温度との温度差がプラス１．５℃以上では、サーモＯＮに設定する。
【００４２】
なお、図３（ａ）および（ｂ）の例では、温度差の範囲ごとに所定の点数を付したが、本発明はこれに限らず、温度差の大きさに応じた点数であれば良い。例えば、温度差プラス１．５℃のとき、プラス１．５点を付するなど、温度差の値を点数としても良い。
【００４３】
また、図３（ａ）および（ｂ）の例では、温度差がプラスの場合にプラスの点を付し、温度差がマイナスの場合にマイナスの点を付したが、本発明はこれに限るものではない。
例えば、第１運転モードを実行している空調機の室内温度が目標設定温度より高いとき、室内温度と目標設定温度との温度差の大きさに応じた点数を、冷房に対応する点数として付し、目標設定温度より低いとき、室内温度と目標設定温度との温度差の大きさに応じた点数を、暖房に対応する点数として付する。
また例えば、第２運転モードを実行している空調機の室内温度が、上限設定温度より高いとき、室内温度と上限設定温度との温度差の大きさに応じた点数を、冷房に対応する点数として付し、下限設定温度より低いとき、室内温度と下限設定温度との温度差の大きさに応じた点数を、暖房に対応する点数として付する。
【００４４】
次に、各空調機が実行可能である、第１運転モードおよび第２運転モードの動作について説明する。
【００４５】
［第１運転モード］
第１運転モードは、目標設定温度が設定され、当該空調機が設置された室内温度が目標設定温度となるように当該空調機をサーモＯＮまたはサーモＯＦＦさせる制御である。
まず、ユーザーは、集中コントローラー１０の入力装置１２０を操作して、第１運転モードを実行させるグループを選択する。
また、ユーザーは、集中コントローラー１０の入力装置１２０を操作して、当該グループが設置されている室内温度の目標値である目標設定温度を入力する。
【００４６】
集中コントローラー１０の制御装置１１０は、当該グループの空調機から取得した室内温度と、当該グループの目標設定温度との温度差を求める。
また、制御装置１１０は、記憶装置１４０に記憶された第１点数テーブルを参照し、サーモＯＮの温度差の範囲と、サーモＯＦＦの温度差の範囲の情報を取得する。
【００４７】
制御装置１１０は、空調機が冷房運転時において、室内温度が目標設定温度を上回り、温度差がサーモＯＮとなる温度差となった場合、当該グループの空調機をサーモＯＮにさせる。一方、空調機が冷房運転時において、室内温度が目標設定温度以下の場合、当該グループの空調機をサーモＯＦＦにさせる。
【００４８】
制御装置１１０は、空調機が暖房運転時において、室内温度が目標設定温度を下回り、温度差がサーモＯＮとなる温度差となった場合、当該グループの空調機をサーモＯＮにさせる。一方、空調機が暖房運転時において、室内温度が目標設定温度以上の場合、当該グループの空調機をサーモＯＦＦにさせる。
【００４９】
なお、冷房運転または暖房運転の切り替えは、グループ単体での室内温度と目標設定温度との温度差にかかわらず、後述する動作により、複数の空調機の全てが、暖房運転または冷房運転の何れか一方に切り替えられる。
【００５０】
この第１運転モードは、主に快適性を向上させる制御である。
例えば、人が在室する部屋に設けられた空調機には、第１運転モードが設定され、冷房運転または暖房運転にかかわらず室内温度が、目標設定温度に近づくように制御される。
【００５１】
［第２運転モード］
第２運転モードは、上限設定温度と、上限設定温度より低い下限設定温度とが設定され、冷房運転時には、当該空調機が設置された室内温度が上限設定温度を下回るように当該空調機をサーモＯＮまたはサーモＯＦＦさせ、暖房運転時には、当該空調機が設置された室内温度が下限設定温度を上回るように当該空調機をサーモＯＮまたはサーモＯＦＦさせる制御である。
まず、ユーザーは、集中コントローラー１０の入力装置１２０を操作して、第２運転モードを実行させるグループを選択する。
また、ユーザーは、集中コントローラー１０の入力装置１２０を操作して、当該グループが設置されている室内温度の、上限設定温度および下限設定温度を入力する。
【００５２】
集中コントローラー１０の制御装置１１０は、当該グループの空調機から取得した室内温度と、上限設定温度および下限設定温度との温度差を求める。
また、制御装置１１０は、記憶装置１４０に記憶された第２点数テーブルを参照し、サーモＯＮの温度差の範囲と、サーモＯＦＦの温度差の範囲の情報を取得する。
【００５３】
制御装置１１０は、空調機が冷房運転時において、室内温度が上限設定温度を上回り、温度差がサーモＯＮとなる温度差となった場合、当該グループの空調機をサーモＯＮにさせる。一方、空調機が冷房運転時において、室内温度が上限設定温度以下の場合、当該グループの空調機をサーモＯＦＦにさせる。
【００５４】
制御装置１１０は、空調機が暖房運転時において、室内温度が下限設定温度を下回り、温度差がサーモＯＮとなる温度差となった場合、当該グループの空調機をサーモＯＮにさせる。一方、空調機が暖房運転時において、室内温度が目標設定温度以上の場合、当該グループの空調機をサーモＯＦＦにさせる。
【００５５】
なお、冷房運転または暖房運転の切り替えは、グループ単体での室内温度と上限設定温度または下限設定温度との温度差にかかわらず、後述する動作により、複数の空調機の全てが、暖房運転または冷房運転の何れか一方に切り替えられる。
【００５６】
この第２運転モードは、主に省エネルギー性を向上させる制御である。
つまり、室内温度が、上限設定温度と下限設定温度との間にある場合には、サーモＯＦＦとなり、上記第１運転モードと比較して空調機がサーモＯＦＦする期間を長くすることが可能となり、省エネルギー性が向上する。
例えば、人が在室しておらず快適性を望まない部屋であっても、観葉植物や、家具、絵画などが存在し、室内温度が上限値と下限値との温度範囲内となるように空調機を運転する必要がある場合に用いる。
【００５７】
なお、本実施の形態１では、集中コントローラー１０の制御装置１１０により、第１運転モードおよび第２運転モードを実行する場合を説明するが、本発明はこれに限るものではなく、各空調機が実行するようにしても良い。
例えば、室内機３０に、運転モードの情報、目標設定温度または上限設定温度および下限設定温度の情報を送信し、室内機３０に設けたマイコン等の制御手段により、室内温度とこれら設定温度に基づいて、サーモＯＮまたはＯＦＦを行うようにしても良い。
また、例えば、空調機毎またはグループ毎に、リモートコントローラーを設け、このリモートコントローラーにより、運転モードと目標設定温度等とを設定し、上述した動作を行うようにしても良い。
【００５８】
［冷房／暖房切り替え動作］
次に、複数の空調機の全てを暖房運転または冷房運転の何れか一方に切り替える動作について説明する。
【００５９】
図４は実施の形態１に係る冷房／暖房切り替え動作を示すフローチャートである。
図５および図６は実施の形態１に係る空調機の運転状態の一例を示す図である。
図５（ａ）および図６（ａ）は、グループＧ１〜Ｇ４の全てが第１運転モードを実行している場合を示している。
図５（ｂ）および図６（ｂ）は、グループＧ１〜Ｇ３が第１運転モードを実行し、グループＧ４が第２運転モードを実行している場合を示している。
以下、図４の各ステップに基づき、図３、図５および図６を参照しつつ説明する。
【００６０】
（Ｓ１１）
集中コントローラー１０の制御装置１１０は、常時または定期的（例えば１５分間隔）に冷房／暖房切り替え判断動作を開始する。
制御装置１１０は、空調機のグループのうち、第１運転モードを実行しているグループの有無を判断する。
第１運転モードを実行しているグループがない場合には、ステップＳ１３に進む。
【００６１】
（Ｓ１２）
第１運転モードを実行しているグループがある場合、制御装置１１０は、第１点数テーブル２００に基づき、第１運転モードを実行しているグループ（空調機）に点数を付する。
第１運転モードを実行しているグループ（空調機）の室内温度が、目標設定温度より高いとき、室内温度と目標設定温度との温度差の大きさに応じた点数を、冷房に対応する点数（プラスの点数）として付する。
また、第１運転モードを実行している空調機の室内温度が、目標設定温度より低いとき、室内温度と目標設定温度との温度差の大きさに応じた点数を、暖房に対応する点数（マイナスの点数）として付する。
【００６２】
図５および図６に示す例により、具体的に説明する。
図５（ａ）の例では、グループＧ１は、目標設定温度が２０℃に設定され、現在の室内温度が２１．５℃である。
この場合、制御装置１１０は、現在の室内温度から目標設定温度を減算し、温度差プラス１．５℃を得る。
そして、図３（ａ）に示す第１点数テーブル２００を参照し、温度差プラス１．５℃に対応する点数である、プラス１点を付する。
同様の動作により、グループＧ２にはゼロ点を付し、グループＧ３にはマイナス１点を付し、グループＧ４にはプラス２点を付する。
【００６３】
図５（ｂ）の例では、グループＧ１〜Ｇ３が第１運転モードであるので、同様の動作により、グループＧ１にはプラス１点を付し、グループＧ２にはゼロ点を付し、グループＧ３にはマイナス１点を付する。
【００６４】
図６（ａ）の例では、グループＧ１は、目標設定温度が２０℃に設定され、現在の室内温度が１８．５℃である。
この場合、制御装置１１０は、現在の室内温度から目標設定温度を減算し、温度差マイナス１．５℃を得る。
そして、図３（ａ）に示す第１点数テーブル２００を参照し、温度差マイナス１．５℃に対応する点数である、マイナス１点を付する。
同様の動作により、グループＧ２にはゼロ点を付し、グループＧ３にはプラス１点を付し、グループＧ４にはマイナス２点を付する。
【００６５】
図６（ｂ）の例では、グループＧ１〜Ｇ３が第１運転モードであるので、同様の動作により、グループＧ１にはマイナス１点を付し、グループＧ２にはゼロ点を付し、グループＧ３にはプラス１点を付する。
【００６６】
（Ｓ１３）
次に、制御装置１１０は、空調機のグループのうち、第２運転モードを実行しているグループの有無を判断する。
第２運転モードを実行しているグループがない場合には、ステップＳ１５に進む。
【００６７】
（Ｓ１４）
第２運転モードを実行しているグループがある場合、制御装置１１０は、第２運転モードを実行しているグループ（空調機）の室内温度が、上限設定温度より高いとき、室内温度と上限設定温度との温度差の大きさに応じた点数を、冷房に対応する点数として付しする。
また、第２運転モードを実行しているグループ（空調機）の室内温度が、下限設定温度より低いとき、室内温度と下限設定温度との温度差の大きさに応じた点数を、暖房に対応する点数として付する。
【００６８】
図５および図６に示す例により、具体的に説明する。
図５（ａ）および図６（ａ）の例では、第２運転モードを実行しているグループは無いため、ステップＳ１４は実行されない。
【００６９】
図５（ｂ）の例では、第２運転モードを実行しているグループＧ４は、上限設定温度が２７℃に設定され、下限設定温度が１８℃に設定されている。そして、現在の室内温度が２４℃である。つまり、現在の設定温度は上限設定温度と下限設定温度との間にある。
この場合、制御装置１１０は、図３（ｂ）に示す第２点数テーブル３００を参照し、上限設定温度と下限設定温度との間に対応する点数である、ゼロ点を付する。
【００７０】
図６（ｂ）の例では、第２運転モードを実行しているグループＧ４は、上限設定温度が２７℃に設定され、下限設定温度が１８℃に設定されている。そして、現在の室内温度が１６℃である。
この場合、制御装置１１０は、現在の室内温度から下限設定温度を減算し、温度差マイナス２．０℃を得る。
そして、図３（ｂ）に示す第２点数テーブル３００を参照し、温度差マイナス２．０℃に対応する点数である、マイナス１点を付する。
【００７１】
（Ｓ１５）
制御装置１１０は、上記ステップＳ１２、Ｓ１４で各グループに付した点数の合計値を算出する。
図５（ａ）の例では、合計値はプラス２点となる。
図５（ｂ）の例では、合計値はゼロ点となる。
図６（ａ）の例では、合計値はマイナス２点となる。
図６（ｂ）の例では、合計値はマイナス１点となる。
【００７２】
（Ｓ１６）
制御装置１１０は、ステップＳ１５で算出した合計値がプラスの場合、複数の空調機の全てを冷房運転に切り替えて運転させる。
また、ステップＳ１５で算出した合計値がマイナスの場合、複数の空調機の全てを暖房運転に切り替えて運転させる。
また、ステップＳ１５で算出した合計値がゼロの場合、冷房／暖房の切り替え動作を実施せず、現状のままとする。
【００７３】
すなわち、冷房に対応する点数の合計値より、暖房に対応する点数の合計値が大きいとき、複数の空調機の全てを暖房運転に切り替えて運転させ、冷房に対応する点数の合計値より、暖房に対応する点数の合計値が小さいとき、複数の空調機の全てを冷房運転に切り替えて運転させる。
【００７４】
図５（ａ）の例では、合計値がプラスとなるので、複数の空調機の全てを冷房運転に切り替える。
そして、制御装置１１０は、各グループの目標設定温度との温度差を求め、上述した第１運転モードの動作により、各空調機をサーモＯＮまたはＯＦＦする。
例えば、グループＧ１では温度差がプラス１．５℃であるので、グループＧ１の空調機をサーモＯＮとする。
これにより、グループＧ１が空調対象とする室内は、目標設定温度に近づくように冷房運転される。
同様に、グループＧ４はサーモＯＮとなり冷房運転される。グループＧ２およびＧ３はサーモＯＦＦとなる。
【００７５】
図５（ｂ）の例では、合計値がゼロとなるので、冷房／暖房の切り替え動作を実施せず、現状のままとする。
例えば、現状が冷房運転の場合、第１運転モードであるグループＧ１〜Ｇ３は、上記図５（ａ）の例と同様の動作を行う。また、第２運転モードであるグループＧ４は、サーモＯＦＦとなる。
このように、第１運転モードのグループは、目標設定温度に近づくように制御して快適性を向上させることができる。また、第２運転モードのグループは、室内温度が、上限設定温度と下限設定温度との間にある場合には、空調機をサーモＯＦＦし、省エネルギー性を向上することができる。
【００７６】
図６（ａ）の例では、合計値がマイナスとなるので、複数の空調機の全てを暖房運転に切り替える。
そして、制御装置１１０は、各グループの目標設定温度との温度差を求め、上述した第１運転モードの動作により、各空調機をサーモＯＮまたはＯＦＦする。
例えば、グループＧ１では温度差がマイナス１．５℃であるので、グループＧ１の空調機をサーモＯＮとする。
これにより、グループＧ１が空調対象とする室内は、目標設定温度に近づくように暖房運転される。
同様に、グループＧ４はサーモＯＮとなり暖房運転される。グループＧ２およびＧ３はサーモＯＦＦとなる。
【００７７】
図６（ｂ）の例では、合計値がマイナスとなるので、複数の空調機の全てを暖房運転に切り替える。
第１運転モードであるグループＧ１〜Ｇ３は、上記図６（ａ）の例と同様の動作を行う。これにより、グループＧ１が空調対象とする室内は、目標設定温度に近づくように暖房運転される。
また、第２運転モードであるグループＧ４は、温度差がマイナス２．０℃であるので、グループＧ４の空調機をサーモＯＮとする。これにより、グループＧ４が空調対象とする室内は、下限設定温度を上回るように暖房運転される。
【００７８】
このように、第２運転モードのグループは、室内温度が、下限設定温度を下回らないように、および、上限設定温度を上回らないように制御することが可能となる。
【００７９】
図７は実施の形態１に係る第１運転モードおよび第２運転モード実行時の温度変化の一例を示す図である。
図７（ａ）は、第１運転モード実行時の温度変化を示している。
図７（ａ）に示すように、第１運転モードの実行により、例えば日中など気温が高い状態において冷房運転状態となり、室内温度が目標設定温度に近づくように制御される。
次に、例えば夜間になるなどして、気温が低下した場合、室内温度も低下する。そして、各空調機の温度差が大きくなると、システム全体として暖房運転に切り替えられる。
暖房運転に切り替えられることで、室内温度が上昇し、再度、目標設定温度に近づくように制御される。
次に、例えば日中になるなどして、気温が上昇した場合、室内温度も上昇する。そして、各空調機の温度差が大きくなると、システム全体として冷房運転に切り替えられる。
冷房運転に切り替えられることで、室内温度が下降し、再度、目標設定温度に近づくように制御される。
このような動作が繰り返し行われることとなる。
【００８０】
図７（ｂ）は、第２運転モード実行時の温度変化を示している。
図７（ｂ）に示すように、システム全体が冷房運転に切り替えられている場合、第２運転モードの実行により、室内温度が上限設定温度を上回らないように制御される。
次に、例えば夜間になるなどして、気温が低下した場合、室内温度も低下する。この間、第２運転モードにおいては、サーモＯＦＦ状態となり、省エネルギー性を向上させることができる。
そして、各空調機の温度差が大きくなると、システム全体として暖房運転に切り替えられる。
システム全体が暖房運転に切り替えられている場合、室内温度が下限設定温度を下回らないように制御される。
次に、例えば日中になるなどして、気温が上昇した場合、室内温度も上昇する。この間、第２運転モードにおいては、サーモＯＦＦ状態となり、省エネルギー性を向上させることができる。
そして、各空調機の温度差が大きくなると、システム全体として冷房運転に切り替えられる。
このような動作が繰り返し行われることとなる。
【００８１】
以上のように本実施の形態１においては、各空調機は、第１運転モードと第２運転モードとを実行可能である。そして、第１運転モードを実行している空調機の室内温度と目標設定温度との温度差と、第２運転モードを実行している空調機の室内温度と上限設定温度または下限設定温度との温度差とに基づいて、複数の空調機の全てを暖房運転または冷房運転の何れか一方に切り替えて運転させる。
このため、複数の空調機の全てを暖房運転または冷房運転の何れか一方に切り替えて運転させる空気調和システムにおいて、複数の空調機の少なくとも一部の室内温度を、上限設定温度と下限設定温度との間に保つように制御することができる。
また、複数の空調機の少なくとも一部が、第２運転モードを実行する場合であっても、各空調機の室内温度と設定温度との温度差に応じて、システム全体を冷房運転または暖房運転に切り替えることができる。
また、複数の空調機の一部が、第１運転モードを実行し、複数の空調機の他の一部が、第２運転モードを実行することができ、快適性の向上と省エネルギー性の向上とを両立することができる。
【００８２】
また、第１運転モードを実行している空調機の室内温度が、目標設定温度より高いとき、室内温度と目標設定温度との温度差の大きさに応じた点数を、冷房に対応する点数として付し、第１運転モードを実行している空調機の室内温度が、目標設定温度より低いとき、室内温度と目標設定温度との温度差の大きさに応じた点数を、暖房に対応する点数として付する。また、第２運転モードを実行している空調機の室内温度が、上限設定温度より高いとき、室内温度と上限設定温度との温度差の大きさに応じた点数を、冷房に対応する点数として付し、第２運転モードを実行している空調機の室内温度が、下限設定温度より低いとき、室内温度と下限設定温度との温度差の大きさに応じた点数を、暖房に対応する点数として付する。そして、冷房に対応する点数の合計値より、暖房に対応する点数の合計値が大きいとき、複数の空調機の全てを暖房運転に切り替えて運転させ、冷房に対応する点数の合計値より、暖房に対応する点数の合計値が小さいとき、複数の空調機の全てを冷房運転に切り替えて運転させる。
このため、第１運転モードを実行する空調機と、第２運転モードを実行する空調機とが混在する場合であっても、各モードの制御目標となる温度と室内温度との温度差の大きさに応じて、冷房／暖房のうちシステム全体として適切な運転に切り替えることができる。
したがって、快適性の向上と省エネルギー性の向上とを両立することができる。
【００８３】
また、第１点数テーブルと第２点数テーブルとが記憶装置１４０に記憶される。
このため、第１点数テーブルに基づき、第１運転モードを実行している空調機に点数を付し、第２点数テーブルに基づき、第２運転モードを実行している空調機に点数を付することができる。よって、各モードの制御目標となる温度と室内温度との温度差の大きさに応じて、冷房／暖房のうちシステム全体として適切な運転に切り替えることができる。
したがって、快適性の向上と省エネルギー性の向上とを両立することができる。
【００８４】
なお、本実施の形態１では、設定温度との温度差の大きさに応じて、プラスまたはマイナスの点数を付して、その合計値で冷房／暖房の切り替えを行う場合を説明したが、本発明はこれに限るものではない。
例えば、点数を用いずに、以下のような動作を行っても良い。
第１運転モードを実行している空調機の室内温度が、目標設定温度より高いとき、当該空調機は冷房を必要としていると判断し、第１運転モードを実行している空調機の室内温度が、目標設定温度より低いとき、当該空調機は暖房を必要としていると判断する。
また、第２運転モードを実行している空調機の室内温度が、上限設定温度より高いとき、当該空調機は冷房を必要としていると判断し、第２運転モードを実行している空調機の室内温度が、下限設定温度より低いとき、当該空調機は暖房を必要としていると判断する。
そして、複数の空調機のうち、冷房を必要としている空調機より、暖房を必要としている空調機が多いとき、複数の空調機の全てを暖房運転に切り替えて運転させる。
また、複数の空調機のうち、暖房を必要としている空調機より、冷房を必要としている空調機が多いとき、複数の空調機の全てを冷房運転に切り替えて運転させる。
このような動作にであっても、上述した効果を奏することができる。
【００８５】
なお、本実施の形態１では、１または複数の空調機によりグループを形成し、このグループ毎に運転モードを実行し、点数を付する場合を説明したが、本発明はこれに限らず、複数の空調機それぞれについて、第１または第２運転モードの選択をし、それぞれの空調機に対して点数を付するようにしても良い。
【００８６】
なお、本実施の形態１では、空調機の運転をサーモＯＮまたはサーモＯＦＦの２値制御を行ったが、これに限らず、例えば温度差の大きさに応じて空調能力を変化させるなどの制御を行っても良い。
なお、本実施の形態１では、空調機の運転をサーモＯＮまたはサーモＯＦＦの２値制御を行ったが、これに限らず、サーモＯＦＦに代えて、空調機の運転を停止させるようにしても良い。空調機の運転を停止させることで、サーモＯＦＦと比較して、より省エネルギー性の向上を図ることが可能となる。
なお、本実施の形態１では、空調機の運転をサーモＯＮまたはサーモＯＦＦの２値制御を行ったが、これに限らず、空調機を、運転または停止させる２値制御を行うようにしても良い。
【００８７】
なお、本実施の形態１では、予め、記憶装置１４０に記憶された第１点数テーブル２００および第２点数テーブル３００の情報に基づいて、各空調機に点数を付したが、本発明はこれに限るものではない。
例えば、ユーザーによる入力装置１２０からの操作により、第１点数テーブル２００および第２点数テーブル３００の点数情報（冷房に対応する点数および暖房に対応する点数の情報）を、設定するようにしても良い。
これにより、当該空気調和システムが設置される環境や、ユーザーの使用状況などに応じた点数を、任意に設定することが可能となる。
よって、使用環境等に応じて、冷房／暖房のうちシステム全体として適切な運転に切り替えることができる。
【００８８】
実施の形態２．
上記実施の形態１では、記憶装置１４０に記憶された第１点数テーブル２００および第２点数テーブル３００の情報に基づいて、グループ（空調機）に点数を付して、冷房／暖房の切り替え判断を行った。
本実施の形態２では、冷房に対応する点数および暖房に対応する点数に、当該空調機の空調能力に応じた重みにより重み付けを行う形態について説明する。
【００８９】
なお、本実施の形態２における空気調和システムの構成は、実施の形態１と同様であり、同一部分には同一の符号を付する。
また、各グループ（空調機）で実施する第１運転モードまたは第２運転モードの動作は、上記実施の形態１と同様である。
【００９０】
上述した実施の形態１における冷房／暖房切り替え動作（図４）との相違点を説明する。
【００９１】
（Ｓ１２）
第１運転モードを実行しているグループがある場合、制御装置１１０は、第１点数テーブル２００に基づき、第１運転モードを実行しているグループ（空調機）に点数を取得する。
そして、制御装置１１０は、取得した点数に対し、当該グループ（空調機）の空調能力に応じた重みにより重み付けを行う。
例えば、全グループの空調能力の合計値に対する、当該グループの空調能力の割合を、「空調能力の重み付け値」として求める。
そして、上記取得した点数に、「空調能力の重み付け値」を乗算して、当該グループの点数とする。
【００９２】
（Ｓ１４）
第２運転モードを実行しているグループがある場合、制御装置１１０は、第２運転モードを実行しているグループ（空調機）の室内温度が、上限設定温度より高いとき、室内温度と上限設定温度との温度差の大きさに応じた点数を、冷房に対応する点数として取得する。
また、第２運転モードを実行しているグループ（空調機）の室内温度が、下限設定温度より低いとき、室内温度と下限設定温度との温度差の大きさに応じた点数を、暖房に対応する点数として取得する。
そして、制御装置１１０は、取得した点数に対し、当該グループ（空調機）の空調能力に応じた重みにより重み付けを行う。
例えば、全グループの空調能力の合計値に対する、当該グループの空調能力の割合を、「空調能力の重み付け値」として求める。
そして、上記取得した点数に、「空調能力の重み付け値」を乗算して、当該グループの点数とする。
【００９３】
その他の動作は、上記実施の形態１（図４）と同様である。
【００９４】
以上のように本実施の形態２においては、冷房に対応する点数および暖房に対応する点数に、当該空調機の空調能力に応じた重みにより重み付けを行う。
これにより、空調能力が小さいグループと比較して、空調能力が大きいグループに対する点数を大きくすることができる。
つまり、空調能力が大きいグループの温度差が、冷房／暖房切り替えの判断に与える影響を大きくすることが可能となる。
したがって、冷房／暖房のうちシステム全体として適切な運転に切り替えることができる。
【００９５】
実施の形態３．
本実施の形態３では、第１運転モードを実行する空調機の室内温度にかかわらず、第２運転モードを実行する空調機の室内温度を所定の温度範囲内に保つように、冷房／暖房の切り替え動作をする形態について説明する。
【００９６】
なお、本実施の形態３における空気調和システムの構成は、実施の形態１と同様であり、同一部分には同一の符号を付する。
また、各グループ（空調機）で実施する第１運転モードまたは第２運転モードの動作は、上記実施の形態１と同様である。
【００９７】
本実施の形態３における第２点数テーブル３００は、以下の動作により点数が設定される。
制御装置１１０は、第２運転モードを実行している空調機の室内温度が、上限設定温度より高く、室内温度と上限設定温度との温度差が、所定値以上の場合、第１運転モードを実行している空調機に付される、暖房に対応する点数の最大値に、複数の空調機の数を乗じた値以上の点数を、当該第２運転モードを実行している空調機の冷房に対応する点数として付する。
【００９８】
具体例で説明する。
例えば、空調機（またはグループ）が１０台であって、９台が第１運転モードを実行し、１台が第２運転モードを実行している場合を考える。
「第１運転モードを実行している空調機に付される、暖房に対応する点数の最大値」とは、第１点数テーブル２００のマイナスの最大値であるマイナス２点である。
「複数の空調機の数を乗じた値以上の点数」は、空調機が１０台であるので、マイナス２０点となる。
この場合、第２点数テーブル３００における、上限設定温度との温度差が所定値以上（例えばプラス３．０℃）の点数を、冷房に対応するプラス２０点以上の点数に設定する。
【００９９】
このような設定をすることで、第１運転モードを実行する全ての空調機の室内温度が低く、暖房を必要とする場合であっても、第２運転モードを実行する空調機の室内温度が、上限設定温度から所定値以上上回る場合には、冷房運転に切り替えることができる。
【０１００】
また、第２運転モードを実行している空調機の室内温度が、下限設定温度より低く、室内温度と下限設定温度との温度差が、所定値以上の場合、第１運転モードを実行している空調機に付される、冷房に対応する点数の最大値に、複数の空調機の数を乗じた値以上の点数を、当該第２運転モードを実行している空調機の暖房に対応する点数として付する。
【０１０１】
再び、具体例で説明する。
例えば、空調機（またはグループ）が１０台であって、９台が第１運転モードを実行し、１台が第２運転モードを実行している場合を考える。
「第１運転モードを実行している空調機に付される、冷房に対応する点数の最大値」とは、第１点数テーブル２００のプラスの最大値であるプラス２点である。
「複数の空調機の数を乗じた値以上の点数」は、空調機が１０台であるので、プラス２０点となる。
この場合、第２点数テーブル３００における、下限設定温度との温度差が所定値以上（例えばマイナス３．０℃）の点数を、暖房に対応するマイナス２０点以上の点数に設定する。
【０１０２】
このような設定をすることで、第１運転モードを実行する全ての空調機の室内温度が高く、冷房を必要とする場合であっても、第２運転モードを実行する空調機の室内温度が、下限設定温度から所定値以上下回る場合には、暖房運転に切り替えることができる。
【０１０３】
以上のように本実施の形態３においては、第１運転モードを実行する空調機の室内温度にかかわらず、第２運転モードを実行する空調機の室内温度を所定の温度範囲内に保つように、冷房運転または暖房運転の何れか一方に切り替えることができる。
【０１０４】
なお、本実施の形態３では、上限または下限設定温度との温度差が所定値以上の場合に、点数を設定する動作について説明したが、これに限るものではない。
例えば、上限または下限設定温度との温度差にかかわらず、所定の上限値（固定値）を上回る場合、または所定の上限値（固定値）を下回る場合、上記のような点数を設定するようにしても良い。
【０１０５】
なお、本実施の形態３では、第２点数テーブル３００の情報を設定する場合を説明したが、本発明はこれに限るものではなく、以下のような動作を行っても良い。
例えば、制御装置１１０は、第２運転モードを実行している空調機の室内温度が、上限設定温度より高く、室内温度と上限設定温度との温度差が、所定値以上の場合、複数の空調機の全てを冷房運転に切り替えて運転させる。
また、第２運転モードを実行している空調機の室内温度が、下限設定温度より低く、室内温度と下限設定温度との温度差が、所定値以上の場合、複数の空調機の全てを暖房運転に切り替えて運転させる。
このような動作を行うことで、第１運転モードを実行する全ての空調機の室内温度が高く、冷房を必要とする場合であっても、第２運転モードを実行する空調機の室内温度が、下限設定温度から所定値以上下回る場合には、暖房運転に切り替えることができる。
【符号の説明】
【０１０６】
１０  集中コントローラー、２０  室外機、３０  室内機、１００  制御装置、１１０  制御装置、１２０  入力装置、１３０  表示装置、１４０  記憶装置、１５０  通信装置、２００  点数テーブル、３００  点数テーブル。
【図１】
0005383899.tif 000002
【図２】
0005383899.tif 000003
【図３】
0005383899.tif 000004
【図４】
0005383899.tif 000005
【図５】
0005383899.tif 000006
【図６】
0005383899.tif 000007
【図７】
0005383899.tif 000008